(57)【要約】【課題】良好な感触を有するサポート部を備えたトランクス型水着型水着を提供する。【解決手段】本発明は、前身頃１２および後ろ身頃を含むトランクス本体部１０と、前身頃１２の裏側に設けられ、男性局部を支持するサポート部３０とを備えたトランクス型水着１であって、サポート部３０は、男性局部を支持するベース部３２と、少なくとも男性局部がサポート部３０に当接する領域における、ベース部３２の前身頃側の表面または後ろ身頃側の表面に設けられた不織布３４とを含む。【選択図】図２
2014118665.tif 000002
【特許請求の範囲】
【請求項１】
前身頃および後ろ身頃を含むトランクス本体部と、
前記前身頃の裏側に設けられ、男性局部を支持するサポート部とを備えたトランクス型水着であって、
前記サポート部は、男性局部を支持するベース部と、少なくとも男性局部が前記サポート部に当接する領域における、前記ベース部の前身頃側の表面または後ろ身頃側の表面に設けられた不織布とを含むトランクス型水着。
【請求項２】
前記ベース部の前身頃側の表面に設けられた不織布の前身頃側の表面、または前記ベース部の後ろ身頃側の表面に設けられた不織布の後ろ身頃側の表面に設けられた表面材を、前記サポート部はさらに含む、請求項１に記載のトランクス型水着。
【請求項３】
前記サポート部は、前記サポート部の長さ方向前側の端部および前記サポート部の長さ方向後ろ側の端部のみで、前記トランクス本体部と縫合され、
前記サポート部の長さ方向前側の端部は、前記トランクス本体部の腰開口部近傍と縫合され、前記サポート部の長さ方向後ろ側の端部は、前記トランクス本体部の後ろ身頃側の股下部と縫合された、請求項１または２に記載のトランクス型水着。
【請求項４】
前記サポート部の長さ方向後ろ側の端部は、着用者の会陰近傍に対向する位置で、前記トランクス本体部の後ろ身頃側の股下部と縫合された、請求項３に記載のトランクス型水着。
【請求項５】
前記サポート部の形状は、前記トランクス本体部の腰開口部近傍に底辺を有する略三角形である、請求項１〜４のいずれか１項に記載のトランクス型水着。
【請求項６】
前記サポート部は、前身頃側に膨出した立体形状を有する、請求項１〜５のいずれか１項に記載のトランクス型水着。
【請求項７】
前記サポート部に、着用者の鼠蹊部に対応する位置に沿って、弾性部材が設けられている、請求項１〜６のいずれか１項に記載のトランクス型水着。
【発明の詳細な説明】
【技術分野】
【０００１】
本発明は、トランクス型水着に関し、とくにフィットネス用のトランクス型水着に関する。
【背景技術】
【０００２】
男性用の水着として使用されており、内部にサポータが付けられたトランクスが従来技術として知られている（たとえば、特許文献１）。このトランクスは、前布と後ろ布とを縫い合わせてパンツ状にしたトランクス本体と、帯状のサポータとを備えている。そして、サポータの長さ方向前端部が前布の裏側の上端近傍に縫い付けられ、サポータの長さ方向後端部がトランクス本体の股下部近傍において前布の裏側に縫い付けられている。また、ハンモックのように揺動可能とされているサポータを備えた男性用トランクス型パンツが従来技術として知られている（たとえば、特許文献２）。これにより、男性局部のサポート性と安定性とを向上させることができる。
【先行技術文献】
【特許文献】
【０００３】
【特許文献１】特開平９−４９１０１号公報
【特許文献２】意匠登録第１４３９２６１号公報
【発明の概要】
【発明が解決しようとする課題】
【０００４】
特許文献１に記載されているような従来のトランクス型水着および特許文献２に記載されているような従来の男性用トランクス型パンツでは、着用中、男性局部は、常にサポータに支持されているため、男性局部がサポータに支持されているときの感触は非常に重要である。本発明は、良好な感触を有するサポート部を備えたトランクス型水着を提供することを目的とする。
【課題を解決するための手段】
【０００５】
本発明は、上記課題を解決するため、以下の構成を採用した。
すなわち、本発明は、前身頃および後ろ身頃を含むトランクス本体部と、前身頃の裏側に設けられ、男性局部を支持するサポート部とを備えたトランクス型水着であって、サポート部は、男性局部を支持するベース部と、少なくとも男性局部がサポート部に当接する領域における、ベース部の前身頃側の表面または後ろ身頃側の表面に設けられた不織布とを含む。
【発明の効果】
【０００６】
本発明によれば、良好な感触を有するサポート部を備えたトランクス型水着を提供することができる。
【図面の簡単な説明】
【０００７】
【図１】図１は、本発明の一実施形態におけるトランクス型水着の全体図である。
【図２】図２は、本発明の一実施形態におけるトランクス型水着の切欠図である。
【図３】図３は、図１に示すトランクス型水着のＡ−Ａ断面図である。
【図４】図４は、本発明の一実施形態におけるトランクス型水着のベース部の分解図である。
【発明を実施するための形態】
【０００８】
図１〜図３を参照して、本発明の一実施形態におけるトランクス型水着を説明する。図１は、本発明の一実施形態におけるトランクス型水着の全体図であり、図２は、本発明の一実施形態におけるトランクス型水着の切欠図であり、図３は、図１に示すトランクス型水着のＡ−Ａ断面図である。図２の切欠図では、トランクス型水着の前身頃の一部と、後述のサポート部の表面材の一部とを切り欠いている。
【０００９】
トランクス型水着１は、トランクス本体部１０と、サポート部３０とを備える。トランクス本体部１０は、着用者の腹側を覆う前身頃１２と着用者の臀部側を覆う後ろ身頃１４とを含む。また、トランクス本体部１０は、着用者の腰を通す腰開口部１６と、着用者の左右の足をそれぞれ通す左右の脚開口部１８とを備える。
【００１０】
トランクス本体部１０は、たとえば、ポリエステルおよびポリウレタンからなる伸縮性を有する生地から構成される。トランクス本体部１０は、たとえば、トランクス本体部１０の右半分を構成する１枚の生地２４と、トランクス本体部１０の左半分を構成する１枚の生地２６とを縫合することにより作製される。
【００１１】
なお、トランクス本体部１０の前身頃１２と後ろ身頃１４との間の境界は、たとえば、トランクス型水着１の前後方向の真ん中の位置である。
【００１２】
サポート部３０は、トランクス本体部１０の前身頃１２の裏側に設けられる。サポート部３０は、男性局部の少なくとも一部を覆うことによって、男性局部を支持する。サポート部３０は前身頃側に膨出した立体形状を有する。これにより、サポート部３０は、男性局部の少なくとも一部を確実に包み込むことができ、男性局部を安定的に支持することができる。サポート部３０は、たとえば、カップ状などの立体形状を有する。
【００１３】
なお、腰開口部１６から股下部２２にかけてサポート部３０が延在している方向を、以下、サポート部３０の長さ方向とし、サポート部３０の長さ方向に対して垂直をなす方向をサポート部３０の幅方向と呼ぶ。また、サポート部３０の前身頃側の端部を、以下、前側の端部と呼び、サポート部３０の後ろ身頃側の端部を、以下、後ろ側の端部と呼ぶ。
【００１４】
サポート部３０の形状は、トランクス本体部１０の腰開口部近傍に底辺を有する略三角形であることが好ましい。これにより、着用者の股にサポート部３０をフィットさせることができる。また、サポート部３０は、男性局部を確実に支持することができる。
【００１５】
サポート部３０は、男性局部を支持するベース部３２と、少なくとも男性局部がサポート部に当接する領域における、ベース部３２の前身頃側の表面に設けられた不織布３４と、不織布３４の前身頃側の表面に設けられた表面材３６とを、好ましくは含む。
【００１６】
ベース部３２は、サポート部３０の基礎となる部分であり、ベース部３２が立体形状を有することによって、サポート部３０は立体形状を有する。たとえば、図４に示すように、曲線状の辺４８Ａ，４８Ｂを有する一対の略三角形の生地３２Ａ，３２Ｂを、曲線状の辺４８Ａ，４８Ｂで、相互に縫着することによって、膨出した立体形状を有するベース部３２を形成することができる。なお、ベース部の外周に、ギャザーおよびタックなどを形成することによって、膨出した立体形状を有するベース部を形成してもよい。
【００１７】
ベース部３２は、たとえば、ポリエステルおよびポリウレタンの混紡などの吸水性の低い合成繊維から作製された編物または織物で構成される。
【００１８】
不織布３４は、サポート部３０に接している男性局部に対して柔らかい感触を与える。これにより、着用者は、サポート部３０の良好な感触を得ることができる。そして、トランクス型水着の履き心地が良好になる。とくに不織布３４の柔らかさは、着用者に対して、サポート部３０の良好な感触を与えるのに適している。たとえば、スポンジなどの他の柔らかい素材をサポート部３０に設けると、かえってサポート部３０の感触が悪くなる場合がある。
【００１９】
また、不織布３４は、クッションの役割を果たし、サポート部３０に支持されている男性局部がトランクス本体部１０の裏地に当たったときの感触を良好にする。これにより、トランクス型水着の履き心地がさらに良好になる。とくに、着用者が水中でフィットネス運動を行っているとき、サポート部３０に支持されている男性局部はトランクス本体部１０の裏地に強く当たる場合があるので、トランクス型水着がフィットネス用水着である場合、不織布３４を設けることによる効果は一層大きくなる。さらに、不織布３４を設けることにより、サポート部３０は厚くなるので、サポート部３０による男性局部を保護する効果が大きくなる。
【００２０】
不織布３４の素材には、ポリエステル、ポリプロピレン、ナイロンなどの吸収性の低い合成繊維、たとえば疎水性の合成繊維が好ましく、ポリエステルがさらに好ましい。これにより、着用者が水中から退出したとき、サポート部３０にしみ込んでいる水がサポート部３０から速やかに排出される。また、これにより、サポート部３０が水を含んでもだれることが少なくなり、サポート部３０の形状を保持することができる。
【００２１】
不織布３４の伸縮性は低いことが好ましい。これにより、水中においても、水の外においても、サポート部３０が伸びて男性局部を支持する効果が低下することを抑制できる。
【００２２】
不織布３４が設けられている領域は、少なくとも男性局部がサポート部３０に当接する領域であれば、とくに限定されない。したがって、サポート部３０全体に不織布を設けてもよし、サポート部３０の一部に不織布を設けてもよい。
【００２３】
不織布３４の厚さは、好ましくは、１．０〜２．０ｍｍである。不織布３４の厚さが１．０ｍｍよりも小さい場合、不織布３４のクッション性が弱すぎてしまう場合がある。不織布３４の厚さが２．０ｍｍよりも大きい場合、不織布３４にしみ込む水の量が多くなりすぎてしまい、着用者が水中から出たとき、不織布３４にしみ込んだ水のためにサポート部３０が重くなりすぎる場合がある。
【００２４】
なお、不織布３４は、ベース部３２の後ろ身頃側の表面に配置されてもよい。この場合も、不織布は、サポート部３０に良好な感触を与え、クッションの役割を果たし、男性局部がトランクス本体部１０の裏地に当たったときの感触を良好にする。
【００２５】
上述の特許文献１および特許文献２に記載されているような従来のサポータに不織布を設けるだけでも、サポータに良好な感触を与えることができる。したがって、サポータの感触をより良好にする場合も、不織布を用いることによって、サポータの素材に従来の素材を使用することができ、サポータの感触を簡単に良好にすることができる。
【００２６】
表面材３６は、不織布３４がトランクス本体部１０と擦れて摩耗することを抑制する。表面材３６の素材として、たとえば、ポリエステルなどの吸収性の低い合成繊維で作製された織物または編物が使用される。なお、不織布がベース部３２の後ろ身頃側の表面に設けられた場合は、表面材は不織布の後ろ身頃側の表面に設けられることが好ましい。この場合、表面材は、不織布３４が男性局部と擦れて摩耗することを抑制する。なお、不織布の摩耗が小さい場合は、表面材３６を不織布に設けなくてもよい。また、表面材３６はメッシュ構造を有していてもよい。
【００２７】
たとえば、不織布３４および表面材３６の外周部分をベース部３２に縫い付けることにより、不織布３４および表面材３６をベース部３２に設けることができる。
【００２８】
サポート部３０には、着用者の鼠蹊部に対応する位置に沿って、弾性部材３８が設けられていることが好ましい。弾性部材３８の伸縮力より、サポート部３０は、男性局部をさらに大きく包み込むようになり、男性局部がより安定的に支持される。弾性部材３８として、たとえば、伸縮性を有するバインダーテープおよびゴムテープなどがある。
【００２９】
サポート部３０は、サポート部３０の長さ方向前側の端部４２およびサポート部３０の長さ方向後ろ側の端部４４のみで、トランクス本体部１０と縫合されることが好ましい。これにより、サポート部３０は幅方向に揺動可能になり、着用者の男性局部の位置に合わせてサポート部３０は移動できる。これにより、サポート部３０は、男性局部を確実に支持することができる。
【００３０】
サポート部３０の長さ方向前側の端部４２は、トランクス本体部１０の腰開口部近傍と縫合され、サポート部３０の長さ方向後ろ側の端部４４は、トランクス本体部１０の後ろ身頃側の股下部２２と縫合されることが好ましい。これにより、男性局部の肛門側の部分までサポート部３０は男性局部を包み込むことができる。さらに、サポート部３０の長さ方向後ろ側の端部４４は、着用者の会陰近傍に対向する位置で、トランクス本体部１０の後ろ身頃側の股下部２２と縫合されることが好ましい。これにより、男性局部の肛門側の部分までサポート部３０は男性局部を包み込むことができるとともに、男性局部がサポート部３０によって強く圧迫されることを抑制できる。また、着用者が水中から上がったとき、サポート部３０の中に水が溜まることを抑制できる。ここで、会陰とは、男性局部の陰嚢の後方の境から肛門までの間の部分であり、たとえば、陰嚢の後方の境と肛門との間の真ん中の位置である。
【００３１】
以上の本発明の一実施形態によるトランクス型水着１は、次のような作用効果を奏する。
（１）前身頃１２および後ろ身頃１４を含むトランクス本体部１０と、前身頃１２の裏側に設けられ、男性局部を支持するサポート部３０とを備えたトランクス型水着１であって、サポート部３０は、男性局部を支持するベース部３２と、少なくとも男性局部がサポート部３０に当接する領域における、ベース部３２の前身頃側の表面または後ろ身頃側の表面に設けられた不織布３４とを含むようにした。これにより、良好な感触を有するサポート部を備えたトランクス型水着を提供することができる。また、男性局部がトランクス本体部１０の裏地に当たったときの感触が良好になり、トランクス型水着の履き心地が良好になる。
【００３２】
（２）ベース部３２の前身頃側の表面に設けられた不織布３４の前身頃側の表面、またはベース部３２の後ろ身頃側の表面に設けられた不織布の後ろ身頃側の表面に設けられた表面材３６をサポート部３０はさらに含むようにした。これにより、ベース部３２に設けられた不織布３４の摩耗を抑制できる。
【００３３】
（３）サポート部３０は、サポート部３０の長さ方向前側の端部４２およびサポート部３０の長さ方向後ろ側の端部４４のみで、トランクス本体部１０と縫合され、サポート部３０の長さ方向前側の端部４２は、トランクス本体部１０の腰開口部近傍と縫合され、サポート部３０の長さ方向後ろ側の端部４４は、トランクス本体部１０の後ろ身頃側の股下部２２と縫合されるようにした。これにより、サポート部３０は、男性局部を確実に支持することができるとともに、男性局部の肛門側の部分までサポート部３０は男性局部を包み込むことができる。
【００３４】
（４）サポート部３０の長さ方向後ろ側の端部４４は、着用者の会陰近傍に対向する位置で、トランクス本体部１０の後ろ身頃側の股下部２２と縫合されるようにした。これにより、男性局部がサポート部３０によって強く圧迫されることを抑制できる。
【００３５】
（５）サポート部３０の形状は、トランクス本体部１０の腰開口部近傍に底辺を有する略三角形であるようにした。これにより、着用者の股にサポート部３０をフィットさせることができる。
【００３６】
（６）サポート部３０は、前身頃側に膨出した立体形状を有するようにした。これにより、サポート部３０は、男性局部の少なくとも一部を確実に包み込むことができ、男性局部を安定的に支持することができる。
【００３７】
（７）サポート部３０に、着用者の鼠蹊部に対応する位置に沿って、弾性部材３８が設けられるようにした。これにより、男性局部がサポート部３０によって大きく包み込まれる用になり、安定的に支持される。
【００３８】
以上の説明はあくまで一例であり、本発明は上記実施形態の構成になんら限定されるものではない。
【符号の説明】
【００３９】
１    トランクス型水着
１０    トランクス本体部
１２    前身頃
１４    後ろ身頃
１６    腰開口部
１８    脚開口部
３０    サポート部
３２    ベース部
３４    不織布
３６    表面材
３８    弾性部材
【図１】
2014118665.tif 000003
【図２】
2014118665.tif 000004
【図３】
2014118665.tif 000005
【図４】
2014118665.tif 000006